(57)【要約】【課題】受信する電波の指向性を電気的に切り替え可能なアンテナを配置する際、外観の美観を向上させると共にそのアンテナの受信感度を向上させることができるテレビジョン装置を提供する。【解決手段】受信する電波の指向性を電気的に切り替え可能なスマートアンテナ１０がテレビジョン本体２０に接続されるテレビジョン装置１００において、スマートアンテナ１０を内蔵した状態でテレビジョン本体２０に固定するとともに、スマートアンテナ１０とテレビジョン本体２０との相対距離を変更する手段をアンテナ内蔵筐体としての取っ手５０に備える。【選択図】図３
2009049917.tif 000002
【特許請求の範囲】
【請求項１】
受信する電波の指向性を電気的に切り替え可能なアンテナがテレビジョン本体に接続されるテレビジョン装置において、
上記アンテナを内蔵した状態で上記テレビジョン本体に固定するとともに、該アンテナと該テレビジョン本体との相対距離を変更する手段をアンテナ内蔵筐体に備えることを特徴とするテレビジョン装置。
【請求項２】
上記アンテナ内蔵筐体は、
上記アンテナを構成する受信素子の受信方向が略水平に配置されるように該アンテナを収容するアンテナ収容部と、
一端側が上記アンテナ収容部と一体的に連結されると共に、他端側が上記アンテナ収容部と上記テレビジョン本体との相対距離が変更されるように該テレビジョン本体に摺動可能に取り付けられ且つ上記アンテナ収容部と上記テレビジョン本体との相対距離が所定距離とされるようにストッパ機構により該テレビジョン本体に固定される軸部とで構成されていることを特徴とする請求項１に記載のテレビジョン装置。
【請求項３】
上記アンテナ内蔵筐体は、上記テレビジョン本体の上部に取り付けられた取っ手であることを特徴とする請求項１または２に記載のテレビジョン装置。
【請求項４】
上記アンテナ内蔵筐体は、上記テレビジョン本体を支持する脚部であることを特徴とする請求項１または２に記載のテレビジョン装置。
【請求項５】
上記アンテナ内蔵筐体は、
上記アンテナを構成するデジタル放送受信用の複数の受信素子の受信方向が略水平に配置されるように該アンテナを収容するアンテナ収容部と、
それぞれ、一端側が上記アンテナ収容部と一体的に連結されると共に、他端側が上記アンテナ収容部と上記テレビジョン本体との相対距離が変更されるように該テレビジョン本体に摺動可能に取り付けられ且つ上記アンテナ収容部と上記テレビジョン本体との相対距離が所定距離とされるようにストッパ機構により該テレビジョン本体に固定される２つの軸部とで構成されており、
上記アンテナ収容部の水平方向の断面が略楕円形状に構成されると共に、
上記２つの軸部の一端側が上記アンテナ収容部の両端部の何れかにそれぞれ離間して連結され且つ上記軸部の他端側の一部乃至全部が上記テレビジョン本体にそれぞれ収容可能に構成されて、
１５インチ乃至２３インチの画面サイズを持つ上記テレビジョン本体の上部に取り付けられる取っ手であることを特徴とする請求項１に記載のテレビジョン装置。 
【発明の詳細な説明】
【技術分野】
【０００１】
本発明は、テレビジョン放送を受信して視聴可能なテレビジョン装置に係り、特に、指向性を切り替え可能なアンテナを有するテレビジョン装置に関する。
【背景技術】
【０００２】
視聴者により所望のチャンネルが指定される度に、受信する電波の指向性を電気的に切り替え可能なアンテナ(通称「スマートアンテナ」という)を備えたテレビジョン装置がよく知られている。例えば、特許文献１に示されたテレビジョン受信システムがそれである。この特許文献１によれば、スマートアンテナは、床面に安定して設置するための脚部と、その脚部から略鉛直に立設する柱部と、その柱部の上端に保持されるアンテナ保持部と、そのアンテナ保持部に収容される複数の受信素子（指向性アンテナ）とを有する構成とされ、アンテナケーブルを介してテレビジョン本体（受信機）と電気的に接続される。これにより、スマートアンテナは、アンテナケーブルを介してテレビジョン本体により所定の規格に基づいて制御されて受信の指向性等を切り替えるようになっている。
【０００３】
上記したスマートアンテナを室内にてテレビジョン本体に接続する場合、受信素子の受信感度を上げるため、受信素子を略水平に配置すると共に、受信素子をテレビジョン本体等の金属部位から所定距離だけ離して配置することが望ましい。つまり、スマートアンテナでは、指向性を切り替えることができるよう、水平偏波を受信するために受信素子を水平方向に広げて配置している。さらに、スマートアンテナは、電波を受信する仕組み上、金属部位の影響を低減させるため、テレビジョン本体からできるだけ遠ざけるよう配置する必要がある。
【０００４】
この場合、スマートアンテナ自体やアンテナケーブルが外観の美観を損なわせるという問題が生じる可能性があった。
【０００５】
一方で、例えば、特許文献２には、テレビ受像機本体を下方から支持する支持体の櫛歯状体を利用して、その支持体にアレーアンテナを水平状態に設置することで外観を損ねることがないテレビ受像機が開示されている。
【０００６】
また、特許文献３には、表示パネル、シャーシ部、ベゼル部などのテレビジョン受信装置の内部機器やキャリングハンドル部、スタンド部などの外部接続機材のいずれかにアンテナパターンを形成するエレメントを備えるテレビジョン受信装置が開示されている。
【特許文献１】特開２００５−３５４６３１号公報
【特許文献２】特開２００５−２４４８８５号公報
【特許文献３】特開２００５−２９５１３５号公報
【発明の開示】
【発明が解決しようとする課題】
【０００７】
しかしながら、特許文献２、３に示されるようにスマートアンテナをテレビジョン本体に組み込んだりすることで外観の美観が損なわれることはないものの、受信素子を略水平に配置したり受信素子をテレビジョン本体から所定距離だけ離して配置したりすることが困難となって、スマートアンテナの受信感度を低下させてしまう可能性があった。このように、外観の美観を向上させることとスマートアンテナの受信感度を向上させることとは相反する事項であり、これらを両立させることについて未だ提案されていない。
【０００８】
本発明は上記課題に鑑みて為されたもので、その目的とするところは、受信する電波の指向性を電気的に切り替え可能なアンテナを配置する際、外観の美観を向上させると共にそのアンテナの受信感度を向上させることができるテレビジョン装置を提供することにある。
【課題を解決するための手段】
【０００９】
上記目的を達成するための請求項１に記載の発明は、受信する電波の指向性を電気的に切り替え可能なアンテナがテレビジョン本体に接続されるテレビジョン装置において、上記アンテナを内蔵した状態で上記テレビジョン本体に固定するとともに、該アンテナと該テレビジョン本体との相対距離を変更する手段をアンテナ内蔵筐体に備える構成としてある。
【００１０】
上記のように構成された本発明のテレビジョン装置において、上記アンテナを内蔵した状態で上記テレビジョン本体に固定するとともに、該アンテナと該テレビジョン本体との相対距離を変更する手段をアンテナ内蔵筐体に備えることから、アンテナの外観が視認できない状態でアンテナをテレビジョン本体近傍に配置しつつテレビジョン本体から所定距離だけ離して配置することができる。
【００１１】
また、本発明の一態様によれば、上記アンテナ内蔵筐体は、上記アンテナを構成する受信素子の受信方向が略水平に配置されるように該アンテナを収容するアンテナ収容部と、一端側が上記アンテナ収容部と一体的に連結されると共に、他端側が上記アンテナ収容部と上記テレビジョン本体との相対距離が変更されるように該テレビジョン本体に摺動可能に取り付けられ且つ上記アンテナ収容部と上記テレビジョン本体との相対距離が所定距離とされるようにストッパ機構により該テレビジョン本体に固定される軸部とで構成されても良い。このように構成されることで、アンテナをアンテナ内蔵筐体内に簡単に内蔵できると共に、テレビジョン本体から所定距離だけ簡単に離すことができる。
【００１２】
さらに、本発明の別の一態様によれば、上記アンテナ内蔵筐体は、上記テレビジョン本体の上部に取り付けられた取っ手である構成としても良い。このように構成されることで、アンテナをテレビジョン本体から所定距離だけ離しつつ取っ手内に内蔵することができる。
【００１３】
さらに、本発明の別の一態様によれば、上記アンテナ内蔵筐体は、上記テレビジョン本体を支持する脚部である構成としても良い。このように構成されることで、アンテナをテレビジョン本体から所定距離だけ離しつつ脚部内に内蔵することができる。
【００１４】
さらに、本発明の別の一態様によれば、上記アンテナ内蔵筐体は、上記アンテナを構成するデジタル放送受信用の複数の受信素子の受信方向が略水平に配置されるように該アンテナを収容するアンテナ収容部と、それぞれ、一端側が上記アンテナ収容部と一体的に連結されると共に、他端側が上記アンテナ収容部と上記テレビジョン本体との相対距離が変更されるように該テレビジョン本体に摺動可能に取り付けられ且つ上記アンテナ収容部と上記テレビジョン本体との相対距離が所定距離とされるようにストッパ機構により該テレビジョン本体に固定される２つの軸部とで構成されており、上記アンテナ収容部の水平方向の断面が略楕円形状に構成されると共に、上記２つの軸部の一端側が上記アンテナ収容部の両端部の何れかにそれぞれ離間して連結され且つ上記軸部の他端側の一部乃至全部が上記テレビジョン本体にそれぞれ収容可能に構成されて、１５インチ乃至２３インチの画面サイズを持つ上記テレビジョン本体の上部に取り付けられる取っ手である構成としても良い。このように構成されることで、アンテナを取っ手内に簡単に内蔵できると共に、テレビジョン本体から所定距離だけ簡単に離すことができる。
【発明の効果】
【００１５】
以上説明したように、請求項１に記載の発明によれば、アンテナの外観が視認できない状態でアンテナをテレビジョン本体近傍に配置しつつテレビジョン本体から所定距離だけ離して配置することができるので、受信する電波の指向性を電気的に切り替え可能なアンテナを配置する際、外観の美観を向上させると共にそのアンテナの受信感度を向上させることが可能なテレビジョン装置を提供することができる。
【００１６】
また、本発明によれば、アンテナをアンテナ内蔵筐体内に簡単に内蔵できると共に、テレビジョン本体から所定距離だけ簡単に離すことができるので、外観の美観が適切に向上すると共にそのアンテナの受信感度が適切に向上させられる。
【００１７】
また、本発明によれば、アンテナをテレビジョン本体から所定距離だけ離しつつ取っ手内に内蔵することができるので、取っ手をアンテナとして機能させられる。見方を換えれば、アンテナに取っ手機能を持たせられる。
【００１８】
また、本発明によれば、アンテナをテレビジョン本体から所定距離だけ離しつつ脚部内に内蔵することができるので、脚部をアンテナとして機能させられる。見方を換えれば、アンテナに脚部機能を持たせられる。
【００１９】
また、本発明によれば、アンテナを取っ手内に簡単に内蔵できると共に、テレビジョン本体から所定距離だけ簡単に離すことができるので、取っ手をアンテナとして機能させつつ（見方を換えれば、アンテナに取っ手機能を持たせつつ）、外観の美観が適切に向上すると共にそのアンテナの受信感度が適切に向上させられる。また、１５インチ乃至２３インチの画面サイズを持つテレビジョン装置を容易に持ち運ぶことができる。
【発明を実施するための最良の形態】
【００２０】
以下、図面にもとづいて本発明の実施形態を説明する。
（１）テレビジョン装置の概略構成
（２）アンテナ内蔵筐体の構成
（３）変形例
（４）まとめ
【００２１】
（１）テレビジョン装置の概略構成
以下、図１および図２を参照して本発明が適用されるテレビジョン装置１００の概略構成を説明する。図１はテレビジョン装置１００の一例を示す斜視図であり、図２はテレビジョン装置１００のブロック構成図の一例である。図１、２において、テレビジョン装置１００は、スマートアンテナ１０を内蔵するアンテナ内蔵筐体としての取っ手５０と、テレビジョン本体２０を備えて構成される。スマートアンテナ１０とテレビジョン本体２０は、例えば所定の通信方式（例えばEIA/CEA-909等 ）に基づいた通信を行うためのインターフェィス（以下９０９インターフェース）を介して接続されている。また、スマートアンテナ１０は、例えば受信する電波（地上デジタル放送の水平偏波）の到来方向に指向性を電気的に切り替え可能にテレビジョン放送信号を受信するアンテナである。また、テレビジョン本体２０は、例えばスマートアンテナ１０により受信されたテレビジョン放送信号に基づく音声や画像を出力する。尚、テレビジョン本体２０は、取っ手５０により容易に持ち運べるサイズとして１５インチ乃至２３インチ程度の画面サイズを持つ液晶テレビ、プラズマテレビ、リアプロジェクションテレビ、有機ＥＬテレビ等の薄型テレビジョンが望ましいが、本発明の要旨を逸脱しない範囲で種々の変形実施の形態が可能である。
【００２２】
より具体的には、スマートアンテナ１０は、例えばアンテナコントローラ１１と、９０９インターフェイス１２と、デジタルテレビジョン放送信号の受信に際して指向性の切り替えが可能な受信素子１３などを備えて構成され、テレビジョン放送信号を受信する際、受信可能なテレビジョン放送信号の指向性を電気的に切り替えることが可能である。
【００２３】
９０９インターフェイス１２は、例えばテレビジョン本体２０の９０９インターフェイス２１(後述)と９０９ケーブル１４を介して電気的に接続されており、テレビジョン本体２０の９０９インターフェイス２１と所定の通信方式(例えばEIA/CEA-９０９等)に基づいた通信を行って、テレビジョン本体２０から受信素子１３を制御するためのチャンネル情報等を受信して、アンテナコントローラ１１に出力する。
【００２４】
アンテナコントローラ１１は、例えば制御部１１ａを備えている。制御部１１ａは、例えばＣＰＵ１１ａ１と、ＲＡＭ１１ａ２と、ＲＯＭ１１ａ３などとを備えている。ＣＰＵ１１ａ１は、ＲＯＭ１１ａ３に記録されたアンテナコントローラ１１用の各種処理プログラムに従って各種の制御動作を行う。ＲＡＭ１１ａ２は、ＣＰＵ１１ａ１によって実行される処理プログラムなどを展開するためのプログラム格納領域や、入カデータや上記処理プログラムが実行される際に生じる処理結果などを格納するデータ格納領域などを備える。ＲＯＭ１１ａ３は、アンテナコントローラ１１で実行可能なシステムプログラム、システムプログラムで実行可能な各種処理プログラム、これら各種処理プログラムを実行する際に使用されるデータ、ＣＰＵ１１ａ１によって演算処理された処理結果のデータなどを記録する。なお、プログラム２００は、コンピュータが読み取り可能なプログラムコードの形でＲＯＭ１１ａ３に記録されている。
【００２５】
プログラム２００は、例えばＣＰＵ１１ａ１により取得されたチャンネル情報に含まれる物理チャンネル番号に対応するテレビジョン放送信号に基づいて、受信素子１３の指向性を電気的に切り替える。具体的には、プログラム２００を実行したＣＰＵ１１ａ１により取得されたチャンネル情報に含まれる物理チャンネル番号に対応するテレビジョン放送信号の判定に基づいて、当該テレビジョン放送信号を受信するアンテナとしての受信素子１３の指向性を切り替える。
【００２６】
切替部１１ｂは、例えば制御部１１ａから入力される制御信号に従って、プログラム２００を実行したＣＰＵ１１ａ１により受信素子１３が選択された場合、プログラム２００を実行したＣＰＵ１１ａ１により取得されたチャンネル情報に含まれる方向情報に基づいて、受信素子１３の指向性を切り替える。
【００２７】
受信素子１３は、例えばテレビジョン本体２０のチューナ２２とアンテナＲＦケーブル１５で接続されており、プログラム２００を実行したＣＰＵ１１ａ１の指示に基づいてテレビジョン放送信号を受信する。具体的には、受信素子１３は、複数の指向性の方向(例えば１６方向)を有し、切替部１１ｂにより当該複数の方向のうちの一方向に指向性が切り替えられると、当該一方向からのテレビジョン放送信号に、他方向からのテレビジョン放送信号よりも大きな感度を示すようになっている。
【００２８】
テレビジョン本体２０は、例えば９０９インターフェイス２１と、チューナ２２と、フロントエンド２３と、デコーダ２４と、ＯＳＤ回路２７と、リモコン受信部２８と、記録部２９と、制御部３０とを備えて構成される。また、テレビジョン本体２０は、スマートアンテナ１０から受信したテレビジョン放送信号を受け付けて、映像や音声を出力する。そのため、映像や音声を出力するために、デコーダ２４に接続された音声出力部２５や画像表示部２６を備えている。さらに、テレビジョン本体２０は、例えばリモコン受信部２８と通信可能なテレビジョン本体２０用のリモコン装置４０を備えている。尚、上述した各部は、樹脂製のキャビネット２０ａに収容されて配置される。また、このキャビネット２０ａ上部に取っ手５０の一部が収容される。
【００２９】
９０９インターフェイス２１は、例えばスマートアンテナ１０の９０９インターフェイス１２と９０９ケーブル１４を介して電気的に接続されており、例えば制御部３０から入力される制御信号に従って、スマートアンテナ１０の９０９インターフェイス１２と所定の通信方式(例えばEIA/CEA-909 等)に基づいた通信を行って、スマートアンテナ１０にスマートアンテナ１０を制御するためのチャンネル情報等を送信する。
【００３０】
チューナ２２は、例えばスマートアンテナ１０の受信素子１３とアンテナＲＦケーブル１５を介して電気的に接続されており、制御部３０から入力される制御信号に従って、受信素子１３から出力されたテレビジョン放送信号の中からユーザによって選局されたチャンネルに対応するテレビジョン放送信号を取得して、フロントエンド２３に出力する。
【００３１】
フロントエンド２３は、例えば制御部３０から入力される制御信号に従って、チューナ２２から出力されたテレビジョン放送信号を中間周波信号に変換して、デコーダ２４に出力する。
【００３２】
デコーダ２４は、例えば制御部３０から入力される制御信号に従って、フロントエンド２３から出力されたテレビジョン放送信号に対して所定のファイル形式(例えばＭＰＥＧー２（Moving Picture Experts Group phase 2）形式等）に応じた処理を施すことによって、当該テレビジョン放送信号を音声信号と画像信号とに分離してデコードする。そして、当該デコードした音声信号を音声出力部２５に出力するとともに、画像信号を画像表示部２６に出力する。
【００３３】
音声出力部２５は、例えばスピーカ機器等であり、デコーダ２４から出力された音声信号に墓づく音声データに応じた音声を出力する。
【００３４】
画像表示部２６は、例えば液晶表示機器等であり、デコーダ２４から出力された画像信号に基づく画像データに応じた画像や、デコーダ２４から出力され、ＯＳＤ回路２７によりＯＳＤ表示信号(後述)が合成された画像信号に基づく画像データに応じた画像を表示する。
【００３５】
ＯＳＤ回路２７は、例えば制御部３０から入力される制御信号に従って、画像表示部２６に所定のＯＳＤ表示(オンスクリーンディスプレイ表示)をさせるためのＯＳＤ表示信号を、デコーダ２４から画像表示部２６に出力される画像信号に合成する。
【００３６】
リモコン受信部２８は、例えばリモコン装置４０から送信された各種信号を受信し、当該各種信号に基づく各種データを、制御部３０に出力する。
【００３７】
リモコン装置４０は、例えばユーザによって操作され、当該操作に応じた信号をリモコン受信部２８に送信する。具体的には、リモコン装置４０は、例えば選局するチャンネルを指定する際に操作される、チャンネルキーやチャンネルアップ/ダウンキーなどを有する。
【００３８】
記録部２９は、例えば磁気的記録媒体、光学的記録媒体、若しくは半導体メモリで構成されている。具体的には、記録部２９には、チャンネルマップ２９ａ等が記録されている。チャンネルマップ２９ａは、例えばチャンネル情報等を記録している。具体的には、チャンネルマップ２９ａは、例えばリモコン装置４０のチャンネルキーやチャンネルアップ/ダウンキーに割り当てられた仮想チャンネル番号と、物理チャンネル番号と、スマートアンテナ１０の指向性の方向に関する方向情報と、スマートアンテナ１０のゲインに関するゲイン情報などを対応付けて記録している。チャンネルマップ２９ａに記録される情報は、例えばテレビジョン装置１００の初期設定処理において決定されて、チャンネルマップ２９ａに記録されるようになっている。
【００３９】
制御部３０は、例えばＣＰＵ３０ａと、ＲＡＭ３０ｂと、ＲＯＭ３０ｃなどを備えている。ＣＰＵ３０ａは、ＲＯＭ３０ｃに記録されたテレビジョン本体２０用の各種処理プログラムに従って、各種の制御動作を行う。ＲＡＭ３０ｂは、ＣＰＵ３０ａによって実行される処理プログラムなどを展開するためのプログラム格納領域や、入カデータや上記処理プログラムが実行される隙に生じる処理結果などを格納するデータ格納領城などを備える。
【００４０】
ＲＯＭ３０ｃは、テレビジョン本体２０で実行可能なシステムプログラム、当該システムプログラムで実行可能な各種処理プログラム、これら各種処理プログラムを実行する際に使用されるデータ、ＣＰＵ３０ａによって演算処理された各種結果のデータなどを記録する。なお、プログラムは、コンピュータが読み取り可能なプログラムコードの形でＲＯＭ３０ｃに記録されている。具体的には、ＲＯＭ３０ｃは、例えば送信プログラム３００等を記録している。
【００４１】
送信プログラム３００は、例えば９０９インターフェイス２１を介して、スマートアンテナ１０に、チャンネル情報を送信する機能を、ＣＰＵ３０ａに実現させる。具体的には、ＣＰＵ３０ａは、例えばユーザによるリモコン装置４０のチャンネルキーやチャンネルアップ/ダウンキーの操作等によって所定のチャンネルが選局されると、選局されたチャンネルのチャンネル番号(仮想チャンネル番号)に対応するチャンネル情報(物理チャンネル番号、方向情報、ゲイン情報など)を、記録部２９のチャンネルマップ２９ａから取得して、９０９インターフェイス２１を介して、スマートアンテナ１０のアンテナコントローラ１１に送信する。これにより、スマートアンテナ１０は、指向性を切り替えて、選択されたテレビジョン放送信号を受信する。
【００４２】
（２）アンテナ内蔵筐体の構成
図３は、取っ手５０がテレビジョン本体２０の上部に取り付けられた状態の一例を示す斜視図である。また、図４は、取っ手５０の構成の一例を示す部分分解図である。図３、４において、取っ手５０は、例えばスマートアンテナ１０を構成する受信素子１３の受信方向が地上デジタル放送の水平偏波を受信するために略水平に配置されるようにスマートアンテナ１０を収容するアンテナ収容部５１と、それぞれ一端側がアンテナ収容部５１と一体的に連結されると共に、他端側がアンテナ収容部５１とテレビジョン本体２０との相対距離が変更されるようにテレビジョン本体２０に摺動可能に取り付けられ且つアンテナ収容部５１とテレビジョン本体２０との相対距離が所定距離とされるようにストッパ機構６０によりテレビジョン本体２０に固定される２つの軸部５２とで構成されている。これにより、取っ手５０は、スマートアンテナ１０を内蔵しつつテレビジョン本体２０に固定される一方で、スマートアンテナ１０とテレビジョン本体２０との相対距離を変更することが可能である。このように、テレビジョン装置１００は、スマートアンテナ１０を内蔵した状態でテレビジョン本体２０に固定するとともに、スマートアンテナ１０とテレビジョン本体２０との相対距離を変更する手段としてのアンテナ収容部５１および軸部５２を取っ手５０に備えている。
【００４３】
スマートアンテナ１０は、水平偏波のテレビジョン放送信号の受信に対して指向性を持った受信素子１３を有している。そのため、アンテナ収容部５１は、受信素子１３の受信方向を水平に保つよう収容する。その一例として、スマートアンテナ１０を実装する基板を水平方向に向けることにより、アンテナ収容部５１内に収容している。また、アンテナ収容部５１は、スマートアンテナ１０を水平に収容できるように上部収容部５１ａと下部収容部５１ｂとから構成され、且つ、ユーザがテレビジョン装置１００を持ち運びするときに握り易いように水平方向の断面が略楕円形状に構成されている。さらに、アンテナ収容部５１は、スマートアンテナ１０の受信感度が損なわれないように、例えば樹脂等で形成されている。
【００４４】
アンテナ収容部５１の上部収容部５１ａは、スマートアンテナ１０を収容できる凹部を有する、横断面が楕円形の形状である。また、下部収容部５１ｂは、スマートアンテナ１０を収容できる凹部を有する横断面が楕円形の形状である。さらに、下部収容部５１ｂは、軸部５２がそれぞれ挿入されて固定される孔５１ｂ１を有する結合片５１ｂ２を下方両端部にそれぞれ有している。また、結合片５１ｂ２の孔５１ｂ１は、下部収容部５１ｂの横断面一端部の底辺を貫通しており、スマートアンテナ１０から引き出された９０９ケーブル１４およびアンテナＲＦケーブル１５をこの孔５１ｂ１から導出する。これにより、下部収容部５１ｂに孔５１ｂ１から９０９ケーブル１４およびアンテナＲＦケーブル１５が導出されるよう配置した後、上部収容部５１ａで下部収容部５１ｂを覆うように固定することでスマートアンテナ１０はアンテナ収容部５１内に収容される。よって、スマートアンテナ１０は、人目に付かず、外観の美観を損ねない。
【００４５】
軸部５２は、アンテナ収容部５１、およびアンテナ収容部５１に収容するスマートアンテナ１０をテレビジョン本体２０の上方に配置するためのものである。さらに、本発明の実施の形態に係る軸部５２の一方５２ａは、スマートアンテナ１０をテレビジョン本体２０に固定する際、テレビジョン本体２０に接続される９０９ケーブル１４およびアンテナＲＦケーブル１５を収容する。これにより、９０９ケーブル１４およびアンテナＲＦケーブル１５は、人目に付かず、外観の美観を損ねない。さらに、９０９ケーブル１４およびアンテナＲＦケーブル１５は、軸部５２内に収容されるため、断線から保護することができる。
【００４６】
軸部５２の形状は、所定の長さを有する円筒形であるが、少なくとも一方５２ａは９０９ケーブル１４およびアンテナＲＦケーブル１５を収容するために中空円筒形とされる。また、アンテナ収容部５１と連結されない他端側には、長さ方向に複数形成された溝６０ｂを有している。さらに、軸部５２は、スマートアンテナ１０の受信感度が損なわれないように、例えば樹脂等で形成されている。
【００４７】
キャビネット２０ａの上部には、軸部５２の他端側を収容する為の収容孔２０ａ１が形成されている。また、複数の溝６０ｂの何れかに嵌合して軸部５２を所定位置に固定するためのストッパ６０ａが形成されている。このストッパ６０ａと溝６０ｂとでストッパ機構６０が構成される。
【００４８】
上述した構成により、２つの軸部５２は、アンテナ収容部５１の下方両端部にそれぞれ形成された結合片５１ｂ２の孔５１ｂ１に一端側が挿入されてそれぞれ離間してアンテナ収容部５１と一体的に連結される。このとき、アンテナ収容部５１に収容されたスマートアンテナ１０から引き出されて孔５１ｂ１から導出された９０９ケーブル１４およびアンテナＲＦケーブル１５を、軸部５２の一方５２ａの円筒の中空を貫通させるよう挿入する。また、結合片５１ｂ２には、結合片５１ｂ２の壁面を貫通する雌ねじ部５１ｂ３が形成されており、ねじ５３を雌ねじ部５１ｂ３に螺号するよう挿入させて、孔５１ｂ１に挿入した軸部５２の先端と当接させて軸部５２を固定する。さらに、２つの軸部５２は、キャビネット２０ａの上部にそれぞれ形成された収容孔２０ａ１に他端側が挿入されて他端側の一部乃至全部がテレビジョン本体２０にそれぞれ収容され、且つスマートアンテナ１０の受信感度が適切な状態となるようなアンテナ収容部５１とテレビジョン本体２０との所定距離にてストッパ機構６０によりキャビネット２０ａに固定される。例えば、映り具合を確認しながら固定位置を調整することができる。
【００４９】
（３）変形例
以下に、取っ手５０の取り付け方法の別の態様を説明する。
図５は、取っ手５０がテレビジョン本体２０の背面に取り付けられた状態の一例を示す斜視図である。図５において、２つの軸部５２は、キャビネット２０ａの背部にそれぞれ形成された軸固定部材６０ｃと溝６０ｂとにより、スマートアンテナ１０の受信感度が適切な状態となるようなアンテナ収容部５１とテレビジョン本体２０との所定距離にてキャビネット２０ａに固定される。つまり、この軸固定部材６０ｃと溝６０ｂとでストッパ機構６０が構成される。
【００５０】
以下に、アンテナ内蔵筐体の別の態様を説明する。
図６は、アンテナ内蔵筐体としての脚部５５がテレビジョン本体２０の下部に取り付けられた状態の一例を示す斜視図である。図６において、脚部５５は、例えばスマートアンテナ１０を構成する受信素子１３の受信方向が略水平に配置されるようにスマートアンテナ１０を収容するアンテナ収容部５６と、それぞれ一端側がアンテナ収容部５６と一体的に連結されると共に、他端側がアンテナ収容部５６とテレビジョン本体２０との相対距離が変更されるようにテレビジョン本体２０に摺動可能に取り付けられ且つアンテナ収容部５６とテレビジョン本体２０との相対距離が所定距離とされるようにストッパ機構６５によりテレビジョン本体２０に固定される２つの軸部５７とで構成されている。これにより、脚部５５は、スマートアンテナ１０を内蔵しつつテレビジョン本体２０に固定される一方で、テレビジョン本体２０を持ち上げるなどしてスマートアンテナ１０とテレビジョン本体２０との相対距離を変更することが可能である。脚部５５の構成のその他細部については取っ手５０と同様であるので説明を省略する。このように、テレビジョン装置１００は、スマートアンテナ１０を内蔵した状態でテレビジョン本体２０に固定するとともに、スマートアンテナ１０とテレビジョン本体２０との相対距離を変更する手段としてのアンテナ収容部５６および軸部５７を脚部５５に備えている。尚、テレビジョン本体２０は、テレビジョン本体２０を容易に持ち上げられるサイズとして１５インチ乃至２３インチ程度の画面サイズを持つ薄型テレビジョンが望ましいが、本発明の要旨を逸脱しない範囲で種々の変形実施の形態が可能である。
【００５１】
（４）まとめ
上述のように、本実施例によれば、テレビジョン装置１００は、スマートアンテナ１０を内蔵した状態でテレビジョン本体２０に固定するとともに、スマートアンテナ１０とテレビジョン本体２０との相対距離を変更する手段をアンテナ内蔵筐体としての取っ手５０或いは脚部５５に備えている。言い換えれば、スマートアンテナ１０を内蔵しつつテレビジョン本体２０に固定される一方で、スマートアンテナ１０とテレビジョン本体２０との相対距離を変更することが可能なアンテナ内蔵筐体としての取っ手５０或いは脚部５５を備えている。このことから、スマートアンテナ１０の外観が視認できない状態でスマートアンテナ１０をテレビジョン本体２０近傍に配置しつつテレビジョン本体２０から所定距離だけ離して配置することができるので、受信する電波の指向性を電気的に切り替え可能なスマートアンテナ１０を配置する際、外観の美観を向上させると共にそのスマートアンテナ１０の受信感度を向上させることが可能なテレビジョン装置１００を提供することができる。
【００５２】
また、本実施例によれば、アンテナ内蔵筐体としての取っ手５０（或いは脚部５５）は、スマートアンテナ１０を構成する受信素子１３の受信方向が略水平に配置されるようにスマートアンテナ１０を収容するアンテナ収容部５１（或いはアンテナ収容部５６）と、一端側がアンテナ収容部５１（或いはアンテナ収容部５６）と一体的に連結されると共に、他端側がアンテナ収容部５１（或いはアンテナ収容部５６）とテレビジョン本体２０との相対距離が変更されるようにテレビジョン本体２０に摺動可能に取り付けられ且つアンテナ収容部５１（或いはアンテナ収容部５６）とテレビジョン本体２０との相対距離が所定距離とされるようにストッパ機構６０（或いはストッパ機構６５）によりテレビジョン本体２０に固定される軸部５２（或いは軸部５７）とで構成されることから、スマートアンテナ１０をアンテナ内蔵筐体内に簡単に内蔵できると共にテレビジョン本体２０から所定距離だけ簡単に離すことができるので、外観の美観が適切に向上すると共にそのスマートアンテナ１０の受信感度が適切に向上させられる。
【００５３】
また、本実施例によれば、アンテナ内蔵筐体は、テレビジョン本体２０の上部に取り付けられた取っ手５０であることから、スマートアンテナ１０をテレビジョン本体２０から所定距離だけ離しつつ取っ手内に内蔵することができるので、取っ手５０をアンテナとして機能させられる。見方を換えれば、スマートアンテナ１０に取っ手機能を持たせられる。
或いは、アンテナ内蔵筐体は、テレビジョン本体２０を支持する脚部５５であることから、スマートアンテナ１０をテレビジョン本体２０から所定距離だけ離しつつ脚部５５内に内蔵することができるので、脚部５５をアンテナとして機能させられる。見方を換えれば、スマートアンテナ１０に脚部機能を持たせられる。
【００５４】
また、本実施例によれば、取っ手５０は、アンテナ収容部５１の水平方向の断面が略楕円形状に構成されると共に、２つの軸部５２の一端側がアンテナ収容部５１の両端部の何れかにそれぞれ離間して連結され且つ軸部５２の他端側の一部乃至全部がテレビジョン本体２０にそれぞれ収容可能に構成されて、１５インチ乃至２３インチの画面サイズを持つテレビジョン本体２０の上部に取り付けられる構成であることから、スマートアンテナ１０を取っ手５０内に簡単に内蔵できると共にテレビジョン本体２０から所定距離だけ簡単に離すことができるので、取っ手５０をアンテナとして機能させつつ（見方を換えれば、スマートアンテナ１０に取っ手機能を持たせつつ）、外観の美観が適切に向上すると共にそのスマートアンテナ１０の受信感度が適切に向上させられる。また、１５インチ乃至２３インチの画面サイズを持つテレビジョン装置１００を容易に持ち運ぶことができる。
【００５５】
以上、本発明の実施例を図面に基づいて詳細に説明したが、本発明はその他の態様においても適用される。
【００５６】
例えば、前述の実施例では、取っ手５０の軸部５２や脚部５５の軸部５７は、それぞれ２つ備えられていたが、少なくとも１つの軸部を備える構成であれば本発明は適用され得る。
【００５７】
また、前述の実施例では、取っ手５０や脚部５５は、ストッパ機構６０やストッパ機構６５によりアンテナ収容部５１、５６とテレビジョン本体２０との相対距離が段階的に変化させられて固定されたが、連続的に変化させて固定される構成としても良い。
【００５８】
なお、上述したのはあくまでも一実施形態であり、本発明は当業者の知識に基づいて種々の変更、改良を加えた態様で実施することができる。
【図面の簡単な説明】
【００５９】
【図１】テレビジョン装置の一例を示す斜視図である。
【図２】テレビジョン装置のブロック構成図の一例である。
【図３】アンテナ内蔵筐体としての取っ手がテレビジョン本体の上部に取り付けられた状態の一例を示す斜視図である。
【図４】取っ手の構成の一例を示す部分分解図である。
【図５】取っ手がテレビジョン本体の背面に取り付けられた状態の一例を示す斜視図である。
【図６】アンテナ内蔵筐体としての脚部がテレビジョン本体の下部に取り付けられた状態の一例を示す斜視図である。
【符号の説明】
【００６０】
１０：スマートアンテナ（アンテナ）
１３：受信素子
２０：テレビジョン本体
５０：取っ手（アンテナ内蔵筐体）
５５：脚部（アンテナ内蔵筐体）
５１、５６：アンテナ収容部
５２、５７：軸部
６０、６５：ストッパ機構
１００：テレビジョン装置 
【図１】
2009049917.tif 000003
【図２】
2009049917.tif 000004
【図３】
2009049917.tif 000005
【図４】
2009049917.tif 000006
【図５】
2009049917.tif 000007
【図６】
2009049917.tif 000008
【手続補正書】
【提出日】平成20年4月15日(2008.4.15)
【手続補正１】
【補正対象書類名】明細書
【補正対象項目名】００３３
【補正方法】変更
【補正の内容】
【００３３】
音声出力部２５は、例えばスピーカ機器等であり、デコーダ２４から出力された音声信号に基づく音声データに応じた音声を出力する。
【手続補正２】
【補正対象書類名】明細書
【補正対象項目名】００３９
【補正方法】変更
【補正の内容】
【００３９】
制御部３０は、例えばＣＰＵ３０ａと、ＲＡＭ３０ｂと、ＲＯＭ３０ｃなどを備えている。ＣＰＵ３０ａは、ＲＯＭ３０ｃに記録されたテレビジョン本体２０用の各種処理プログラムに従って、各種の制御動作を行う。ＲＡＭ３０ｂは、ＣＰＵ３０ａによって実行される処理プログラムなどを展開するためのプログラム格納領域や、入カデータや上記処理プログラムが実行される際に生じる処理結果などを格納するデータ格納領城などを備える。